(57)【特許請求の範囲】
【請求項１】
車両に搭載され、前記車両の電源を用いて受信した放送情報を記録する車載用オーディオ装置において、
前記放送情報を記録したデジタルデータを作成する放送録音部と、
前記放送情報の受信および記録が可能であり前記車両の電源とは別個の電源で動作する第２のオーディオ装置に記録を引き継ぐための車載録音情報ファイルを作成する放送記録データ作成部と、
前記第２のオーディオ装置に前記デジタルデータおよび前記車載録音情報ファイルを転送するためのオーディオ接続部と
を備えたことを特徴とする車載用オーディオ装置。
【請求項２】
前記放送情報の記録を引き継ぐために操作される操作部を備えたことを特徴とする請求項１に記載の車載用オーディオ装置。
【請求項３】
前記車載録音情報ファイルには、記録を引き継ぐ時間の情報が含まれることを特徴とする請求項１または請求項２に記載の車載用オーディオ装置。
【請求項４】
前記車載録音情報ファイルには、放送局の周波数を記録した選局情報が含まれることを特徴とする請求項１から請求項３のいずれかに記載の車載用オーディオ装置。
【請求項５】
前記車載録音情報ファイルには、前記デジタルデータの記録フォーマットの情報が含まれることを特徴とする請求項１から請求項４のいずれかに記載の車載用オーディオ装置。
【請求項６】
前記デジタルデータは、圧縮フォーマットによって圧縮処理されていることを特徴とする請求項１から請求項５のいずれかに記載の車載用オーディオ装置。
【請求項７】
バックアップ電源を備え、前記バックアップ電源は、前記車両の電源の供給が停止したときに、前記デジタルデータおよび前記車載録音情報ファイルを作成すると共に前記第２のオーディオ装置に前記デジタルデータおよび前記車載録音情報ファイルを転送するために作動することを特徴とする請求項１から請求項６のいずれかに記載の車載用オーディオ装置。
【請求項８】
前記放送情報は、ラジオ放送による情報であることを特徴とする請求項１から請求項７のいずれかに記載の車載用オーディオ装置。
【請求項９】
請求項１から請求項８のいずれかに記載の車載用オーディオ装置と、
前記車載用オーディオ装置から前記デジタルデータおよび前記車載録音情報ファイルを受信して前記放送情報の記録を引き継ぐ第２のオーディオ装置と
を備えたことを特徴とする車載用オーディオシステム。
【請求項１０】
前記第２のオーディオ装置は、携帯可能であることを特徴とする請求項９に記載の車載用オーディオシステム。
【発明の詳細な説明】
【技術分野】
【０００１】
本発明は、ラジオ放送の録音が可能な車載用オーディオ装置に関する。
【背景技術】
【０００２】
従来、ラジオ放送を録音（記憶）する装置としては、録音機器を用いて放送中の番組をカセットテープやＭＤ（Mini Disk）等の記憶媒体に録音するものがある。また、近年、メモリーカード、不揮発性メモリー、ハードディスクといった記憶媒体を用いるデジタルオーディオが登場し、ラジオ録音の機能が付加されているものも存在する。そして、デジタルオーディオの一種である車載用オーディオ装置においても、ハードディスクやメモリーカードにラジオで受信したラジオ放送を録音することが可能となっている。（例えば、特許文献１参照）。
【特許文献１】特開平０９−００８７５１号公報
【発明の開示】
【発明が解決しようとする課題】
【０００３】
車載用オーディオ装置を用いて受信しているラジオ放送を録音する場合には、車両本体の電源を常に入れた状態にしておかなければならない。そのため、運転中にラジオ放送の録音を開始して録音中に目的地に到着した場合には、運転者は、車両のエンジンを停止させて録音を途中であきらめるか、車両のエンジンをかけた状態で録音が終了するまで待つかの選択をすることになる。この場合、録音が終了するまで待つ場合には、録音を継続するためだけにエンジンをかけた状態にしなければならず、環境問題の観点から好ましくない。
【０００４】
本発明は、上述した事情に鑑みてなされたものであり、ラジオ放送の録音中にエンジンを停止させたとしても、継続してラジオ放送を録音することのできる車載用オーディオ装置を提供することを目的とする。
【課題を解決するための手段】
【０００５】
本発明に係る車載用オーディオ装置では、車両に搭載され、前記車両の電源を用いて受信した放送情報を記録する車載用オーディオ装置において、前記放送情報を記録したデジタルデータを作成する放送録音部と、前記放送情報の受信および記録が可能であり前記車両の電源とは別個の電源で動作する第２のオーディオ装置に記録を引き継ぐための車載録音情報ファイルを作成する放送記録データ作成部と、前記第２のオーディオ装置に前記デジタルデータおよび前記車載録音情報ファイルを転送するためのオーディオ接続部とを備えたことを特徴とする。
【０００６】
この場合において、前記放送情報の記録を引き継ぐために操作される操作部を備えることもできる。
また、前記車載録音情報ファイルには、記録を引き継ぐ時間の情報を含めることができる。
また、前記車載録音情報ファイルには、放送局の周波数を記録した選局情報を含めることができる。
さらに、前記車載録音情報ファイルには、前記デジタルデータの記録フォーマットの情報を含めることができる。
【０００７】
また、前記デジタルデータは、圧縮フォーマットによって圧縮処理されていてもよい。
さらに、バックアップ電源を備え、前記バックアップ電源は、前記車両の電源の供給が停止したときに、前記デジタルデータおよび前記車載録音情報ファイルを作成すると共に前記第２のオーディオ装置に前記デジタルデータおよび前記車載録音情報ファイルを転送するために作動するようにしてもよい。
さらにまた、前記放送情報は、ラジオ放送による情報であってもよい。
【０００８】
本発明に係る車載用オーディオシステムでは、上述の車載用オーディオ装置と、前記車載用オーディオ装置から前記デジタルデータおよび前記車載録音情報ファイルを受信して前記放送情報の記録を引き継ぐ第２のオーディオ装置とを備えたことを特徴とする。
また、前記第２のオーディオ装置は、携帯可能であってもよい。
【発明の効果】
【０００９】
本発明によれば、車両に搭載され、前記車両の電源を用いて受信した放送情報を記録する車載用オーディオ装置において、前記放送情報を記録したデジタルデータを作成する放送録音部と、前記放送情報の受信および記録が可能であり前記車両の電源とは別個の電源で動作する第２のオーディオ装置に記録を引き継ぐための車載録音情報ファイルを作成する放送記録データ作成部と、前記第２のオーディオ装置に前記デジタルデータおよび前記車載録音情報ファイルを転送するためのオーディオ接続部とを備えているので、車載用オーディオ装置で記録した放送情報のデジタルデータを作成して第２のオーディオ装置に転送するときに、それまでの記録の経過情報である車載録音情報ファイルを一緒に携帯用オーディオ装置に転送することにより、車載用オーディオ装置で放送情報を記録していた途中経過を基にして引き続き第２のオーディオ装置で放送情報の記録を行うことができる。そのため、放送情報の記録中に車両のエンジンを停止させたとしても、継続して放送情報を記録することができる。
【発明を実施するための最良の形態】
【００１０】
以下、本発明の実施の形態に係る車載用オーディオ装置について、図面を参照しながら説明する。なお、本発明で「放送情報」とは、ラジオ放送やテレビ放送など、一定時に記録をしなければ、他の時間には記録できない情報を含むものである。また、「記録」とは、録音、録画やデータ転送なども含むものである。
以下の実施例では、一例として、ラジオ放送を録音する態様について説明する。
【００１１】
図１は車載器側のブロック図を示す。
車載用オーディオ装置１は、操作部２、ディスプレイ３、ラジオ受信部４、ラジオ録音部５、スピーカー６、ラジオ再生部７、制御部８、一時記憶部９、記憶媒体１０、ラジオ録音データ作成部１１、携帯用オーディオ接続部１２を備えている。
【００１２】
操作部２は、複数の押ボタン等で構成され、操作者が、ラジオの選局、音量調節、ラジオ録音開始、ラジオ録音終了、ラジオ録音引継ぎなどの操作を行うためのものである。
ディスプレイ３は、操作者が操作した内容を表示するためのものである。
【００１３】
ラジオ受信部４は、指定した周波数のラジオ信号を受信するためのものであり、アンテナを含んでいる。
ラジオ録音部５は、制御部８からの命令によりラジオ信号を記録媒体１０に記録するためのものである。ラジオ信号は、ＭＰ３、ＷＭＡ、ＡＡＣなどの圧縮フォーマットに従ってデータ圧縮され、記憶媒体１０に記録するデータサイズを小さくすることができる。
【００１４】
スピーカー６は、ラジオ受信部４の信号若しくはラジオ再生部７からの音声信号を音波として出力するためのものである。
ラジオ再生部７は、ラジオ録音部５で記憶媒体に記録されたラジオ録音ファイル（以下、ラジオファイルという）のデータを伸張し、Ｄ／Ａ（デジタル／アナログ）変換する部分である。
制御部８は、操作部２からの命令を受けてラジオ録音部５に記録命令を出したり、一時記憶部９および記憶媒体１０に対してラジオファイルの書き込みと読み出しを命令したり、ディスプレイ３に表示命令を出したりするためのものである。
【００１５】
一時記憶部９は、ＲＡＭで構成されたものであり、ラジオ録音中の圧縮データを一時的に保存するためのものである。後述する携帯用オーディオ装置２１に引継ぐことなく録音を終了する場合には、ファイルとして記憶媒体１０に書き込む一方、録音を引き継がせる場合には、引継ぐ前のファイル（以下、一時ラジオファイルという）をラジオ録音データ作成部１１に送る。
記憶媒体１０は、デジタルオーディオ用半導体メモリで構成されたものであり、本発明ではＳＤカードやコンパクトフラッシュ（登録商標）のようなメモリーカード、若しくはハードディスクを使用する。
【００１６】
ラジオ録音データ作成部１１は、車載用オーディオ装置１でのラジオ録音を引継ぐ際に、携帯用オーディオ装置２１に引継ぐ情報（以下、車載録音情報ファイルという）を作成し、また、一時記憶部９に保存された一時ラジオファイルを取り込んで携帯用オーディオ装置２１に転送するためのものである。
携帯用オーディオ接続部１２は、車載用オーディオ装置１と携帯用オーディオ装置２１とを接続する部分のことであり、ＵＳＢやＩＥＥＥ１３９４などのバスで接続できるものである。
【００１７】
図２は携帯用オーディオ側のブロック図を示す。なお、携帯用オーディオ装置（第２のオーディオ装置）２１は、車の電源以外の電源（例えば、蓄電池など）によって動作するものであれば、携帯可能なものに限られず、車に据付けてあるものであってもかまわない。
【００１８】
携帯用オーディオ装置２１は、操作部２２、ディスプレイ２３、ラジオ受信部２４、ラジオ録音部２５、スピーカー２６、ラジオ再生部２７、制御部２８、一時記憶部２９、記憶媒体３０、ラジオ録音データ読込部３１、車載オーディオ接続部３２を備えている。
【００１９】
ラジオ録音データ読込み部３１は、車載用オーディオ装置１から送られてくる車載録音情報ファイルを解析し、携帯用オーディオ装置２１でのラジオ録音設定を行うものである。また、車載用オーディオ装置１からの一時ラジオファイルを読込み、一時記憶部２９に保存させることも行う。
車載オーディオ接続部３２は、携帯用オーディオ装置２１と車載用オーディオ装置１とを接続するためのものであり、ＵＳＢやＩＥＥＥＥ１３９４などのバスで接続できるものである。
【００２０】
なお、携帯用オーディオ装置２１は、操作部２２、ディスプレイ２３、ラジオ受信部２４、ラジオ録音部２５、スピーカー２６、ラジオ再生部２７、制御部２８、一時記憶部２９、記憶媒体３０は、上述の車載用オーディオ装置１の各部と同じ機能を有するものである。
【００２１】
次に、本発明の実施の形態に係る車載用オーディオ装置の動作について、図３および図４を用いて説明する。図３は車載用オーディオ装置の動作を示すフローチャートである。
【００２２】
運転者または助手席などに同乗している操作者は、車載用オーディオ装置１でラジオ番組を聞いているときに、録音したい放送番組（情報）が開始されたか否かを判断する（Ｓ０１）。開始されていない場合には、引き続き判断を実行する。一方、開始されている場合には、操作者は、操作部２に設けられた「録音開始ボタン」を押下して録音を開始する。録音のフォーマットは、事前に設定した圧縮フォーマットでデジタル化し、圧縮されたデータは一時記憶部９に逐次保存される。
【００２３】
録音開始と同時に、制御部８は、ラジオ録音データ作成部１１に「車載録音情報ファイル」の作成を命令する（Ｓ０２）。ここで、車載録音情報ファイルとは、携帯用オーディオ装置２１に録音を引き継がせるための情報が記録されているファイルであり、例えば、録音開始時間、録音番組の周波数、圧縮フォーマット（ＭＰ３、ＷＭＡ、ＡＡＣ等）、圧縮ビットレート、サンプリングレート等の情報が記録されている。
【００２４】
ラジオ放送の録音が継続して行われている間（Ｓ０３）、制御部８は、操作部２に設けられた「録音終了ボタン」が押下されているか否かを判断する（Ｓ０４）。「録音終了ボタン」が押下されている場合には、制御部８は、一時記憶部９に保存された「一時ラジオファイル」を「ラジオ録音ファイル」として作成し（Ｓ０５）、記憶媒体１０に保存するとともに、「一時ラジオファイル」のデータを消去する。このとき、ラジオ録音の引継ぎは行っていないので、車載録音情報ファイルも破棄されることになる。
【００２５】
「録音終了ボタン」が押下されていない場合には、制御部８は、操作部２に設けられた「録音引継ボタン」が押下されているか否かを判断する（Ｓ０６）。「録音終了ボタン」と同様に「録音引継ボタン」についても押下されていない場合には、制御部８は、引き続きラジオ放送の録音を継続する。
【００２６】
一方、操作者が、例えば、ラジオ放送の録音を続けたいが、車のエンジンを切らなければならない場合には、操作者は、車載用オーディオ装置１に携帯用オーディオ装置２１を接続して「録音引継ボタン」を押下する。携帯用オーディオ装置２１は、ラジオ放送を録音する機能を備えると共に、車載用オーディオ装置からの録音を引き継ぐ機能を備えたものである。
【００２７】
「録音引継ボタン」が押下された場合には、制御部８は、車載用オーディオ装置１に携帯用オーディオ装置２１が接続されているか否かを判断する（Ｓ０７）。接続されていない場合には、制御部８は、一時記憶部９に保存された「一時ラジオファイル」を「ラジオ録音ファイル」として作成し（Ｓ０５）、記憶媒体１０に保存するとともに、「一時ラジオファイル」のデータを消去する。
【００２８】
接続されている場合には、制御部８は、「車載録音情報ファイル」に録音引継ぎ時間（現在の時間）を書き込み、「車載録音情報ファイル」を携帯用オーディオ装置２１のラジオ録音データ読込み部３１に転送する（Ｓ０８）。また、ラジオ放送の録音を中止し（Ｓ０９）、一時ラジオファイルを作成（Ｓ１０）した後に、車載用オーディオ装置１での一時ラジオファイルの作成を終了し、一時記憶部９から携帯用オーディオ装置２１のラジオ録音データ読込み部３１に転送する（Ｓ１１）。
【００２９】
これにより、ラジオ放送の録音の引継ぎは終了し、以降は携帯用オーディオ装置２１でラジオ放送の録音操作を行う。
【００３０】
図４は携帯用オーディオ装置２１の動作を示すフローチャートである。
制御部２８は、携帯用オーディオ装置２１と車載用オーディオ装置１とが接続されているか否かを判断し（Ｓ２１）、接続されている場合には、車載用オーディオ装置１の「録音引継ぎボタン」が押下されているか否かをさらに判断する（Ｓ２２）。「録音引継ぎボタン」が押下されている場合には、制御部２８は、ラジオ録音データ読込み部３１に「一時ラジオファイル」および「車載録音情報ファイル」を取得しているか否かを判断し（Ｓ２３）、取得している場合には、「一時ラジオファイル」を一時記憶部２９に保存する（Ｓ２４）。
【００３１】
ラジオ録音データ読込み部３１は、「車載録音情報ファイル」から録音情報を解析して、携帯用オーディオ装置２１の周波数をチューニングしてラジオ局の選局および設定を行う（Ｓ２６）と共に、車載用オーディオ装置１で録音していた録音フォーマットによって携帯用オーディオ装置２１での録音を継続する（Ｓ２７）。
【００３２】
携帯用オーディオ装置２１での録音が開始されたならば、車載用オーディオ装置１の電源は切ってもよく、さらには車載用オーディオ装置１と携帯用オーディオ装置２１との接続を取り外してもよい。これにより、車外でラジオ放送の録音を継続させることができる。
【００３３】
ラジオ放送の録音を終了させる場合には、携帯用オーディオ装置２１の操作部２２に設けられた「録音終了ボタン」を押下する。制御部２８は、「録音終了ボタン」が押下されているか否かを判断し（Ｓ２８）、押下されていない場合には、録音を継続する。「録音終了ボタン」が押下されている場合には、一時記憶部２９に保存された「一時ラジオファイル」と携帯用オーディオ装置２１で作成された「携帯用オーディオラジオ録音ファイル」を結合し（Ｓ２９）、１つのラジオファイルとして携帯用オーディオ装置２１に保存し、ラジオ放送の録音を終了する（Ｓ３０）。なお、「一時ラジオファイル」と「携帯用オーディオラジオ録音ファイル」との結合は、一般に知られているファイルの結合方法による。
【００３４】
これにより、ラジオ放送の録音を、車載用オーディオ装置１と携帯用オーディオ装置２１との間で１つのラジオファイルを作成することができる。
【００３５】
本発明の実施の形態に係る車載用オーディオ装置１によれば、車載用オーディオ装置１で録音したラジオ放送のデジタルデータを携帯用オーディオ装置２１に転送するときに、それまでの録音経過である車載録音情報ファイルを一緒に携帯用オーディオ装置２１に転送することにより、録音経過を基にして引き続き携帯用オーディオ装置２１でラジオ放送の録音を行うことができる。そのため、ラジオ放送の録音中に車両のエンジンを停止させたとしても、継続してラジオ放送を録音することができる。
【００３６】
以上、本発明を実施するための最良の形態について述べたが、本発明は既述の実施形態に限定されるものではなく、本発明の技術思想に基づいて各種の変形および変更が可能である。
例えば、車載用オーディオ装置１にバックアップ電源を搭載することができる。例えば、ラジオ放送の録音中に録音の引継ぎ作業を行っていない状態でエンジンが切られた場合、車載用オーディオ装置１の制御部８は、車載用オーディオ装置１に携帯用オーディオ装置２１が接続されていることを確認し、接続されている場合には、このバックアップ電源によって携帯用オーディオ装置２１への録音継続操作を行うこともできる。
【図面の簡単な説明】
【００３７】
【図１】本発明の実施の形態に係る車載用オーディオ装置のブロック図である。
【図２】本発明の実施の形態に係る車載用オーディオ装置に接続される携帯用オーディオ装置のブロック図である。
【図３】本発明の実施の形態に係る車載用オーディオ装置の動作を示すフローチャートである。
【図４】本発明の実施の形態に係る車載用オーディオ装置に接続される携帯用オーディオ装置の動作を示すフローチャートである。
【符号の説明】
【００３８】
１  車載用オーディオ装置
２  操作部
３  ディスプレイ
４  ラジオ受信部
５  ラジオ録音部（放送録音部）
６  スピーカー
７  ラジオ再生部
８  制御部
９  一時記憶部
１０  記憶媒体
１１  ラジオ録音データ作成部（放送記録データ作成部）
１２  携帯用オーディオ接続部（オーディオ接続部）
２１  携帯用オーディオ装置（第２のオーディオ装置）
２２  操作部
２３  ディスプレイ
２４  ラジオ受信部
２５  ラジオ録音部
２６  スピーカー
２７  ラジオ再生部
２８  制御部
２９  一時記憶部
３０  記憶媒体
３１  ラジオ録音データ読込部
３２  車載オーディオ接続部
【図１】
0004621573.tif 000002
【図２】
0004621573.tif 000003
【図３】
0004621573.tif 000004
【図４】
0004621573.tif 000005